(57)【要約】      （修正有）【課題】棚の仕切空間の幅寸法よりも小型化することが可能であって、棚の仕切空間の側壁側へ流れる蒸気を効率的に排出可能な蒸気排出装置を提供する。【解決手段】蒸気排出装置１は、横断流送風機から吐出される空気を筐体２内から仕切空間へ吹き出す吹出口部３を備え、吹出口部３は、筐体２の高さ方向へ並ぶ第一吹出口要素３１と、第二吹出口要素３２と、を含み、第一吹出口要素３１の筐体２の幅方向の両端部３１ｂ、第二吹出口要素３２の筐体２の幅方向の両端部３２ｂ、および第二吹出口要素３２の筐体２の幅方向の中央部３２ａは、開放されている。第一吹出口要素３１の筐体２の幅方向における中央部３１ａには、第二吹出口要素３２の筐体２の幅方向における中央部３２ａの開口よりも開口高さの小さい絞部３８が設けられている。第二吹出口要素３２は、筐体２の幅方向における中央部３２ａとそれぞれの端部３２ｂとの間に、閉塞部３９を有している。【選択図】図２
2020030019.tif 000002
【特許請求の範囲】
【請求項１】
蒸気を発生する機器を載せておくことが可能であり、かつ正面が開放された仕切空間を有する棚に組み込まれて使用され、前記仕切空間の奥側に配置される蒸気排出装置であって、
筐体と、
前記筐体内に設けられて前記筐体の幅方向へ延びる回転中心線を有する横断流送風機と、
前記横断流送風機のいずれか一方の端部に設けられて前記横断流送風機を回転駆動させる電動機と、
前記横断流送風機から吐出される空気を前記筐体内から前記仕切空間へ吹き出す吹出口部と、を備え、
前記吹出口部は、前記筐体の高さ方向へ並ぶ第一吹出口要素と、第二吹出口要素と、を含み、
前記第一吹出口要素の前記筐体の幅方向における両端部、前記第二吹出口要素の前記筐体の幅方向における両端部、および前記第二吹出口要素の前記筐体の幅方向における中央部は、開放され、
前記第一吹出口要素の前記筐体の幅方向における中央部には、前記第二吹出口要素の前記筐体の幅方向における中央部の開口よりも開口高さの小さい絞部が設けられ、
前記第二吹出口要素は、前記筐体の幅方向における中央部とそれぞれの端部との間に、閉塞部を有する蒸気排出装置。
【請求項２】
前記第一吹出口要素の前記絞部と前記第二吹出口要素の前記閉塞部とは、部分的に連接する請求項１に記載の蒸気排出装置。
【請求項３】
前記第一吹出口要素は、前記筐体の正面側、かつ左右それぞれの側方へ風向を向ける複数の羽板を備える請求項１または２に記載の蒸気排出装置。
【請求項４】
前記複数の羽板は、前記第一吹出口要素のそれぞれの端部に近いものほど前記第一吹出口要素の中央へ向かって大きく倒れている請求項３に記載の蒸気排出装置。
【発明の詳細な説明】
【技術分野】
【０００１】
本発明に係る実施形態は、蒸気排出装置に関する。
【背景技術】
【０００２】
例えば炊飯器、電気ポット、およびコーヒーメーカーのように蒸気を発生させる電化製品を載せておく棚に組み込まれて使用される蒸気排出装置が知られている。蒸気排出装置は、棚の背板の内面に設けられる。
【先行技術文献】
【特許文献】
【０００３】
【特許文献１】特開平１０−１１５４４５号公報
【発明の概要】
【発明が解決しようとする課題】
【０００４】
従来の蒸気排出装置は、横断流送風機（クロスフローファン、ラインフローファン、横流ファン、および貫流ファンとも呼ばれる。）の回転中心線に直交する方向へ、実質的に一様に空気を吹き出す。蒸気排出装置から吹き出た空気は、仕切空間の天板に沿って流れる。電化製品が発生させた蒸気は、棚の天板に沿う空気の流れに乗って仕切空間から排出される。
【０００５】
しかしながら、従来の蒸気排出装置は、棚の天板の全面に、蒸気を排出する空気の流れを発生させるために、実質的に仕切空間の横幅いっぱいに伸びる横断流送風機を必要とする。そのため、従来の蒸気排出装置は、多様な横幅の棚に適用することが難しく、かつ装置の小型化を阻害する。
【０００６】
また、従来の蒸気排出装置は、棚の天板に沿う空気の流れを生じさせる一方で、棚の側壁側へ流れる蒸気を排気することが難しい。
【０００７】
そこで、本発明は、棚の仕切空間の幅寸法よりも小型化することが可能であって、棚の仕切空間の側壁側へ流れる蒸気を効率的に排出可能な蒸気排出装置を提供することを目的とする。
【課題を解決するための手段】
【０００８】
前記の課題を解決するため本発明の実施形態に係る蒸気排出装置は、蒸気を発生する機器を載せておくことが可能であり、かつ正面が開放された仕切空間を有する棚に組み込まれて使用され、前記仕切空間の奥側に配置される蒸気排出装置であって、筐体と、前記筐体内に設けられて前記筐体の幅方向へ延びる回転中心線を有する横断流送風機と、前記横断流送風機のいずれか一方の端部に設けられて前記横断流送風機を回転駆動させる電動機と、前記横断流送風機から吐出される空気を前記筐体内から前記仕切空間へ吹き出す吹出口部と、を備え、前記吹出口部は、前記筐体の高さ方向へ並ぶ第一吹出口要素と、第二吹出口要素と、を含み、前記第一吹出口要素の前記筐体の幅方向における両端部、前記第二吹出口要素の前記筐体の幅方向における両端部、および前記第二吹出口要素の前記筐体の幅方向における中央部は、開放され、前記第一吹出口要素の前記筐体の幅方向における中央部には、前記第二吹出口要素の前記筐体の幅方向における中央部の開口よりも開口高さの小さい絞部が設けられ、前記第二吹出口要素は、前記筐体の幅方向における中央部とそれぞれの端部との間に、閉塞部を有する。
【図面の簡単な説明】
【０００９】
【図１】本発明の実施形態に係る蒸気排出装置を組み込んだ棚の正面図。
【図２】本発明の実施形態に係る蒸気排出装置の正面図。
【図３】本発明の実施形態に係る蒸気排出装置の正面図。
【図４】本発明の実施形態に係る蒸気排出装置の第一吹出口要素の横断面図。
【図５】本発明の実施形態に係る蒸気排出装置の第二吹出口要素の横断面図。
【図６】本発明の実施形態に係る蒸気排出装置の吹出口部の縦断面図。
【図７】本発明の実施形態に係る蒸気排出装置の吹出口部の縦断面図。
【発明を実施するための形態】
【００１０】
本発明に係る蒸気排出装置の実施形態について図１から図７を参照して説明する。なお、複数の図面中、同じまたは相当する構成には同一の符号が付されている。
【００１１】
図１は、本発明の実施形態に係る蒸気排出装置を組み込んだ棚の正面図である。
【００１２】
図１に示すように、本発明の実施形態に係る蒸気排出装置１は、棚１００に組み込まれて使用される。
【００１３】
棚１００は、台１０１を備えている。棚１００、あるいは台１０１には、炊飯器、電気保温ポット、およびコーヒーメーカーのような蒸気を発生する電化製品２００（以下、単に「機器２００」と言う。）が載せておかれる。台１０１の上方には、機器２００を収納する仕切空間Ｓが確保されている。仕切空間Ｓは、棚１００の台１０１と、天板１０２と、向かい合う一対の側壁１０３と、背板１０４に囲まれている。仕切空間Ｓの正面は開放されている。
【００１４】
蒸気排出装置１は、棚１００の背板１０４の内面１０４ａ、つまり仕切空間Ｓを仕切っている面に取り付けることが可能である。換言すると、蒸気排出装置１は、仕切空間Ｓの奥側に配置されている。
【００１５】
蒸気排出装置１は、正面視において矩形の筐体２を備えている。筐体２の４辺（上縁、下縁、右側縁、左側縁）は、仕切空間Ｓを区画する棚１００の天板１０２、台１０１、一対の側壁１０３に対して実質的に平行に配置される。
【００１６】
蒸気排出装置１は、機器２００が発生させる蒸気を仕切空間Ｓの正面へ向かって排出する。蒸気排出装置１は、棚１００の正面へ向く吹出口部３を有している。蒸気排出装置１は、仕切空間Ｓから空気を吸い込んで吹出口部３から排出する。
【００１７】
図２および図３は、本発明の実施形態に係る蒸気排出装置の正面図である。
【００１８】
なお、図３は、筐体２の正面半体１１が取り外された蒸気排出装置１の正面図である。
【００１９】
図２および図３に示すように、本発明の実施形態に係る蒸気排出装置１は、筐体２と、筐体２内に設けられて筐体２の幅方向へ延びる回転中心線Ｃを有する横断流送風機５と、横断流送風機５のいずれか一方の端部に設けられて横断流送風機５を回転駆動させる電動機６と、横断流送風機５から吐出される空気を筐体２内から仕切空間Ｓへ吹き出す吹出口部３と、を備えている。
【００２０】
筐体２は、矩形の正面半体１１と、正面半体１１に隠れる背面半体１２と、を備えている。正面半体１１と背面半体１２とは、協働して横断流送風機５および電動機６を収容可能な内部空間を区画している。
【００２１】
正面半体１１は、正面視において仕切空間Ｓの形状に倣った矩形の箱体である。正面半体１１は、四隅に配置されるネジ１３によって背面半体１２に固定されている。正面半体１１の上部１５は、横断流送風機５および電動機６を収容している。上部１５の下方、かつ右半部１６は、横断流送風機５および電動機６の制御装置１０を収容している。また、右半部１６には、電動機６の運転操作の入力を受け付ける入力部１７が露出している。入力部１７は、制御装置１０に電気的に接続されている。上部１５は、最も正面へ向かって突出し、上部１５の下方、かつ左半部１８は、最も後方へ下がっている。右半部１６は、上部１５よりは後方に下がり、左半部１８より正面へ突出している。
【００２２】
背面半体１２は、棚１００の背板１０４の内面１０４ａに設けられる複数、例えば６つのネジ１９に引っ掛かって筐体２を棚１００の背板１０４に支える複数、例えば６つの受凹部２１を備えている。受凹部２１は、ネジ１９の頭を挿し通すことが可能な孔２２の上方に連なっている。受凹部２１は、ネジ１９の頭を通さず、かつネジ１９のねじ部または軸部を引っ掛けることが可能である。
【００２３】
横断流送風機５、電動機６、および制御装置１０は、背面半体１２に設けられている。
【００２４】
横断流送風機５は、筐体２の中央を跨いで筐体２の左右へ向かって延びている。つまり、横断流送風機５は、棚１００に蒸気排出装置１を設置した状態において、台１０１および天板１０２に対して実質的に平行に延びている。横断流送風機５は、筐体２の内部空間から空気を吸い込んで、吹出口部３へ空気を吹き出す。
【００２５】
電動機６は、筐体２の左右いずれか一方側、例えば左側の端部に配置されている。
【００２６】
吹出口部３は、正面半体１１の上部１５に設けられている。吹出口部３は、横断流送風機５の真正面に配置されている。吹出口部３は、横断流送風機５と同様に筐体２の幅方向へ延びている。つまり、吹出口部３は、横断流送風機５と同様に、棚１００に蒸気排出装置１を設置した状態において、台１０１および天板１０２に対して実質的に平行に延びている。
【００２７】
そして、吹出口部３は、筐体２の高さ方向へ並ぶ第一吹出口要素３１と、第二吹出口要素３２と、を含んでいる。つまり、第一吹出口要素３１、および第二吹出口要素３２は、吹出口部３と同様に筐体２の幅方向へ延びている。換言すると、複数の吹出口要素３１、３２は、横断流送風機５の回転中心線Ｃに対して平行に分割されている。
【００２８】
図４は、図２のＩＶ−ＩＶ線において、本発明の実施形態に係る蒸気排出装置の第一吹出口要素の横断面図である。
【００２９】
図５は、図２のＶ−Ｖ線において、本発明の実施形態に係る蒸気排出装置の第二吹出口要素の横断面図である。
【００３０】
図６は、図２のＶＩ−ＶＩ線において、本発明の実施形態に係る蒸気排出装置の吹出口部の縦断面図である。
【００３１】
図７は、図２のＶＩＩ−ＶＩＩ線において、本発明の実施形態に係る蒸気排出装置の吹出口部の縦断面図である。
【００３２】
図２に加えて、図４から図７に示すように、本実施形態に係る蒸気排出装置１の吹出口部３は、平面視において、横断流送風機５に近い入口開口３５から出口開口３６へ向かって台形状に拡幅されている。
【００３３】
そして、第一吹出口要素３１の筐体２の幅方向における両端部３１ｂ、第二吹出口要素３２の筐体２の幅方向における両端部３２ｂ、および第二吹出口要素３２の筐体２の幅方向における中央部３２ａは、開放されている。
【００３４】
図２に加えて、図４および図５に示すように、本実施形態に係る蒸気排出装置１の第一吹出口要素３１の両端部３１ｂの開口高さＨ１は、実質的に第一吹出口要素３１の高さに相当する。第二吹出口要素３２の両端部３２ｂの開口高さＨ２は、実質的に第二吹出口要素３２の高さに相当する。第二吹出口要素３２の中央部３２ａの開口高さＨ３は、両端部３２ｂの開口高さＨ２よりも低い。第二吹出口要素３２の中央部３２ａの開口高さＨ３は、実質的に両端部３２ｂの開口高さＨ２の２分の１から４分の３の範囲に設定されている。第一吹出口要素３１と第二吹出口要素３２とは、平板形状の仕切板３７で分断されている。仕切板３７は、横断流送風機５から吹き出す空気を第一吹出口要素３１と第二吹出口要素３２とへ分配する羽板である。
【００３５】
第一吹出口要素３１の筐体２の幅方向における中央部３１ａには、第二吹出口要素３２の筐体２の幅方向における中央部３１ａの開口（つまり、第二吹出口要素３２の中央部３２ａ）よりも開口高さＨｓの小さい絞部３８が設けられている。
【００３６】
第二吹出口要素３２は、筐体２の幅方向における中央部３２ａとそれぞれの端部３２ｂとの間に、閉塞部３９を備えている。換言すると、閉塞部３９は、第二吹出口要素３２の中央部３２ａの両隣に設けられている。閉塞部３９は、横断流送風機５から吹き出す空気が棚１００の仕切空間Ｓへ吹き出さないように遮っている。
【００３７】
第一吹出口要素３１の絞部３８と第二吹出口要素３２の閉塞部３９とは、相互に斜向かいに並んでいる。
【００３８】
ここで、第一吹出口要素３１の絞部３８の右側の開放部位を右側第一開口部４１Ｒと呼ぶ。第一吹出口要素３１の絞部３８の左側の開放部位を左側第一開口部４１Ｌと呼ぶ。つまり、第一吹出口要素３１の中央部に位置する絞部３８は、右側第一開口部４１Ｒと左側第一開口部４１Ｌとの間に挟まれている。
【００３９】
また、第二吹出口要素３２の中央部の開放部位を中央開口部４２と呼ぶ。第二吹出口要素３２の右側の開放部位を右側第二開口部４５Ｒと呼ぶ。第二吹出口要素３２の左側の開放部位を左側第二開口部４５Ｌと呼ぶ。つまり、右側の閉塞部３９Ｒは、中央開口部４２と右側第二開口部４５Ｒとの間に挟まれている。左側の閉塞部３９Ｌは、中央開口部４２と左側第二開口部４５Ｌとの間に挟まれている。
【００４０】
絞部３８は、筐体２の幅方向へ直線状に延びる細隙４７（スリット）を有している。細隙４７の開口高さＨｓは、第一吹出口要素３１の右側第一開口部４１Ｒおよび左側第一開口部４１Ｌの開口高さＨ１よりも小さい。また、細隙４７の開口高さＨｓは、第二吹出口要素３２の中央開口部４２の開口高さＨ２よりも小さい。
【００４１】
第一吹出口要素３１の絞部３８と第二吹出口要素３２の閉塞部３９とは、部分的に連接している。換言すると、第一吹出口要素３１の絞部３８と第二吹出口要素３２の閉塞部３９とは、筐体２の高さ方向において、部分的に重なり合っている。具体的には、絞部３８の右端部は、右側の閉塞部３９Ｒに連なっている。また、絞部３８の左端部は、左側の閉塞部３９Ｌに連なっている。したがって、第二吹出口要素３２の中央開口部４２の開口幅は、第一吹出口要素３１の細隙４７の開口幅よりも僅かに小さく、右側第一開口部４１Ｒの開口幅は、右側第二開口部４５Ｒと右側の閉塞部３９Ｒとを合算した幅寸法よりも僅かに小さく、左側第一開口部４１Ｌの開口幅は、左側第二開口部４５Ｌと左側の閉塞部３９Ｌとを合算した幅寸法よりも僅かに小さい。
【００４２】
さらに、本実施形態に係る蒸気排出装置１の第一吹出口要素３１は、筐体２の正面側、かつ左右それぞれの側方へ風向を向ける複数の羽板５１を備えている。
【００４３】
複数の羽板５１は、第一吹出口要素３１と第二吹出口要素３２とを分断する仕切板３７よりも横断流送風機５の近くまで延びている。つまり、仕切板３７は、吹出口部３の出口開口３６側から横断流送風機５へ向かって延びるが、吹出口部３の入口開口３５には達しておらず、途中で途切れている。複数の羽板５１は、吹出口部３の出口開口３６側から横断流送風機５へ向かって延びて、吹出口部３の入口開口３５に達している。
【００４４】
複数の羽板５１は、第一吹出口要素３１のそれぞれの端部（右側の端部、および左側の端部）に近いものほど第一吹出口要素３１の中央へ向かって大きく倒れている。また、複数の羽板５１は、筐体２の前後方向（表裏方向）において、重なり合わずに倒れている。
【００４５】
羽板５１は、２つ以上あれば良い。複数の羽板５１は、例えば第一羽板５１ａ、第二羽板５１ｂ、第三羽板５１ｃ、および第四羽板５１ｄの４つの羽板５１であって、右側第一開口部４１Ｒの風路を、その幅方向へ５分割している。第一羽板５１ａから第四羽板５１ｄは、第一吹出口要素３１の右端部から中央部へ向かって並んでいる。換言すると、第一羽板５１ａは第一吹出口要素３１の右端部に最も近く、第四羽板５１ｄは第一吹出口要素３１の中央部に最も近い。
【００４６】
なお、第一吹出口要素３１の左側第一開口部４１Ｌの羽板５１は、右側第一開口部４１Ｒの羽板５１の左右を反転させた対象な構造を有しているので、詳細な説明は省略する。
【００４７】
そして、複数の羽板５１によって分割される風路の風路幅は、吹出口部３の中央部に近い風路よりも端部に近い風路の方が大きい。
【００４８】
第二吹出口要素３２は、右側の第一羽板５１ａの真下に右側第二開口部４５Ｒを補強する支柱５２と、左側の第一羽板５１ａの真下に左側第二開口部４５Ｌを補強する支柱５２と、を備えている。支柱５２は、右側第二開口部４５Ｒの出口開口３６の縁に設けられている。また、第二吹出口要素３２の中央開口部４２の出口開口３６の縁にも支柱５３が設けられている。
【００４９】
第一吹出口要素３１は、横断流送風機５が吹き出す空気の一部を絞部３８の細隙４７、右側第一開口部４１Ｒおよび左側第一開口部４１Ｌから棚１００の仕切空間Ｓへ吹き出す。そして、第一吹出口要素３１から吹き出す空気は、絞部３８のある中央部３１ａよりも右側第一開口部４１Ｒおよび左側第一開口部４１Ｌへ多く分配される。絞部３８の細隙４７から吹き出す空気は、吹出口部３の正面へ向かう（図４中の実線矢印ｆ１）。右側第一開口部４１Ｒおよび左側第一開口部４１Ｌから吹き出す空気は、筐体２の左右へ分かれて棚１００の側壁１０３へ向かう（図４中の実線矢印ｆ２）。特に傾斜の異なる複数の羽板５１は、右側第一開口部４１Ｒおよび左側第一開口部４１Ｌから吹き出す空気を棚１００の側壁１０３へ向かって放射状に拡散させる。
【００５０】
他方、第二吹出口要素３２は、横断流送風機５が吹き出す空気の残部を中央開口部４２、右側第二開口部４５Ｒおよび左側第二開口部４５Ｌから棚１００の仕切空間Ｓへ吹き出し、左右の閉塞部３９で空気の流出を阻止する。中央開口部４２から吹き出す空気は、吹出口部３の正面へ向かう（図４中の実線矢印ｆ３）。右側第二開口部４５Ｒおよび左側第二開口部４５Ｌから吹き出す空気は、筐体２の左右へ分かれて棚１００の側壁１０３へ向かう（図４中の実線矢印ｆ４）。なお、右側第二開口部４５Ｒおよび左側第二開口部４５Ｌは、閉塞部３９が設けられているため、右側第一開口部４１Ｒおよび左側第一開口部４１Ｌよりも開口幅が狭い。そのため、右側第二開口部４５Ｒおよび左側第二開口部４５Ｌから吹き出す空気は、第二吹出口要素３２の両端部３２ｂの狭い範囲に限定される。
【００５１】
図４および図５に示すように、第一吹出口要素３１から吹き出す空気と第二吹出口要素３２から吹き出す空気とを重ね合わせると、本実施形態に係る蒸気排出装置１は、仕切空間Ｓの広い範囲へ空気を流すことが分かる。このような空気の流れは、仕切空間Ｓ内の蒸気を仕切空間Ｓの正面へ向かって効率良く排出する。
【００５２】
このように、本実施形態に係る蒸気排出装置１は、筐体２の高さ方向へ並ぶ第一吹出口要素３１と、第二吹出口要素３２と、を備えている。第一吹出口要素３１の両端部３１ｂ、第二吹出口要素３２の両端部３２ｂ、および第二吹出口要素３２の中央部３２ａは、開放されている。第一吹出口要素３１の中央部３１ａには、第二吹出口要素３２の中央部３２ａの開口よりも開口高さの小さい絞部３８が設けられている。第二吹出口要素３２は、中央部３２ａとそれぞれの端部３２ｂとの間に、閉塞部３９を備えている。そのため、蒸気排出装置１は、横断流送風機５から吹き出す空気を第一吹出口要素３１と第二吹出口要素３２とへ分配し、かつ第一吹出口要素３１と第二吹出口要素３２との間に異なる空気の流れを合成して仕切空間Ｓの天板１０２および側壁１０３へ向かって拡散する空気の流れを生み出し、仕切空間Ｓから蒸気を効率的に排出する。つまり、蒸気排出装置１は、横断流送風機の回転中心線に直交する方向へ、実質的に一様に空気を吹き出す従来の蒸気排出装置に比べて、より小型の横断流送風機５を用いて、より広い範囲へ蒸気を排出する空気の流れを生じさせることができる。
【００５３】
また、本実施形態に係る蒸気排出装置１は、部分的に連接する絞部３８と閉塞部３９とを備えている。そのため、蒸気排出装置１は、第一吹出口要素３１の右側第一開口部４１Ｒと第二吹出口要素３２の中央開口部４２との間、および左側第一開口部４１Ｌと、第二吹出口要素３２の中央開口部４２と第二吹出口要素３２の中央開口部４２との間における流れの乱れを防いで蒸気を排出する空気の流れを意図通りに生じさせることができる。
【００５４】
さらに、本実施形態に係る蒸気排出装置１は、筐体２の正面側、かつ左右それぞれの側方へ風向を向ける複数の羽板５１を備えている。そのため、蒸気排出装置１は、横断流送風機５から吹き出す空気を仕切空間Ｓのより広い範囲へ確実に拡散させることができる。
【００５５】
また、本実施形態に係る蒸気排出装置１は、第一吹出口要素３１のそれぞれの端部に近いものほど第一吹出口要素３１の中央へ向かって大きく倒れる複数の羽板５１を備えている。そのため、蒸気排出装置１は、横断流送風機５から吹き出す空気を仕切空間Ｓへ放射状に拡散させることができる。
【００５６】
以上説明したように、本実施形態に係る蒸気排出装置１によれば、棚１００の仕切空間Ｓの幅寸法よりも小型化することが可能であって、棚１００の仕切空間Ｓの側壁１０３側へ流れる蒸気を効率的に排出できる。
【符号の説明】
【００５７】
１…蒸気排出装置、２…筐体、３…吹出口部、５…横断流送風機、６…電動機、１０…制御装置、１１…正面半体、１２…背面半体、１３…正面半体を背面半体に固定するネジ、１５…筐体の上部、１６…筐体の右半部、１７…入力部、１８…筐体の左半部、１９…筐体を棚に固定するネジ、２１…受凹部、２２…孔、３１…第一吹出口要素、３１ａ…第一吹出口要素の中央部、３１ｂ…第一吹出口要素の端部、３２…第二吹出口要素、３２ａ…第二吹出口要素の中央部、３２ｂ…第二吹出口要素の端部、３５…吹出口部の入口開口、３６…吹出口部の出口開口、３７…仕切板、３８…絞部、３９、３９Ｒ、３９Ｌ…閉塞部、４１Ｒ…第一吹出口要素の右側第一開口部、４１Ｌ…第一吹出口要素の左側第一開口部、４２…第二吹出口要素の中央開口部、４５Ｒ…第二吹出口要素の右側第二開口部、４５Ｌ…第二吹出口要素の左側第二開口部、４７…細隙、５１…羽板、５１ａ…第一羽板、５１ｂ…第二羽板、５１ｃ…第三羽板、５１ｄ…第四羽板、５２、５３…支柱、１００…棚、１０１…台、１０２…天板、１０３…側壁、１０４…背板、１０４ａ…内面、２００…電化製品、２００…機器。
【図１】
2020030019.tif 000003
【図２】
2020030019.tif 000004
【図３】
2020030019.tif 000005
【図４】
2020030019.tif 000006
【図５】
2020030019.tif 000007
【図６】
2020030019.tif 000008
【図７】
2020030019.tif 000009